(57)【特許請求の範囲】
【請求項１】
本体側接触子が配設された測定装置本体と、前記本体側接触子に嵌合可能なケーブル側接触子を有するケーブル側コネクタが配設された測定装置用ケーブルとを備え、前記測定装置本体に前記ケーブル側コネクタを挿入するためのコネクタ挿入用穴が形成されると共に当該コネクタ挿入用穴の底部に前記本体側接触子が配設されている測定装置において、
前記両接触子のいずれか一方の周囲に形成された筒状のガイド部材と、
前記両接触子のいずれか他方を保持すると共に前記ガイド部材にはめ込まれる柱状の保持部とを備え、
前記両接触子の嵌合時に、前記コネクタ挿入用穴に挿入された前記ケーブル側コネクタの外筐と当該コネクタ挿入用穴の内壁とが互いに密着して当該コネクタ挿入用穴への水滴の侵入を防止する第１の防滴構造、および前記ガイド部材にはめ込まれた前記保持部の外周面と当該ガイド部材の内周面とが互いに密着して当該両接触子に対する水滴の付着を防止する第２の防滴構造が構成されることを特徴とする測定装置。
【請求項２】
前記ガイド部材は、その内径が基部から先端部に向けて徐々に大径となるように形成され、前記保持部は、その外径が前記ガイド部材に嵌合可能に基部から先端部に向けて徐々に小径となるように形成されていることを特徴とする請求項１記載の測定装置。
【請求項３】
前記コネクタ挿入用穴の前記内壁および前記ケーブル側コネクタの前記外筐のいずれか一方が弾性素材で形成されていることを特徴とする請求項１または２記載の測定装置。
【請求項４】
前記ガイド部材および前記保持部のいずれか一方が弾性素材で形成されていることを特徴とする請求項１から３のいずれかに記載の測定装置。
【請求項５】
前記本体側接触子は、有底筒状の雌型接触子で構成されると共に前記コネクタ挿入用穴の前記底部に埋設されていることを特徴とする請求項１から４のいずれかに記載の測定装置。
【発明の詳細な説明】
【０００１】
【発明の属する技術分野】
本発明は、測定装置本体と、コネクタを介して測定装置本体に接続される測定装置用ケーブルとを備えた測定装置に関するものである。
【０００２】
【従来の技術】
この種の測定装置として、図７に示すように、温度計本体５４と、信号ケーブル５５とを備えて構成された温度計５１が従来から知られている。温度計本体５４は、温度測定回路を構成する複数の電子部品（図示せず）や信号ケーブル５５を接続するためのバナナジャック５７，５７などが実装された回路基板５３と、回路基板５３を収納する箱形のケーシング５２とを備えている（同図では、温度計本体５４の一部のみを示す）。この場合、両バナナジャック５７，５７は、回路基板５３上の測定信号入出力用パターン（図示せず）にそれぞれ半田付けされている。また、ケーシング５２には、固定用ボルト６３によって回路基板５３を固定するための円柱状の固定用ポスト６２が複数形成されると共に、信号ケーブル５５の後述する保持部６０を挿入するためのケーブル接続用孔６１，６１が形成されている。
【０００３】
一方、信号ケーブル５５は、ケーブルＷ，Ｗと、両ケーブルＷ，Ｗの各々の一端にそれぞれ半田付けされたバナナプラグ５６，５６と、パイプ状の保持部６０，６０と、両ケーブルＷ，Ｗの他端に取り付けられた図外の温度センサとを備えて構成されている。この場合、バナナプラグ５６の端部には、保持部６０に固着するためのねじ山が形成されている。したがって、保持部６０内を挿通させたケーブルＷをバナナプラグ５６の端部に半田付けした後に、保持部６０のネジ山にバナナプラグ５６をねじ込むことにより、保持部６０は、バナナプラグ５６およびケーブルＷの接続部位を覆い隠すと共に、バナナプラグ５６の向きを規制しつつ保持する。
【０００４】
この温度計５１を用いての温度測定に際しては、まず、両バナナプラグ５６，５６を図８の矢印Ａの向きでバナナジャック５７のプラグ嵌合用穴５８に嵌合させることにより、図９に示すように、バナナプラグ５６とバナナジャック５７とが互いに接続され、これにより、ケーブルＷ，Ｗ側の温度センサと回路基板５３上の測定信号入出力用パターンとが接続される。この状態では、測定信号入出力用パターンを介して温度センサからのセンサ信号が回路基板５３の温度測定回路に入力されることにより、測定対象体の温度が測定される。
【０００５】
【発明が解決しようとする課題】
ところが、従来の温度計５１には、以下の問題点がある。
すなわち、従来の温度計５１では、温度計本体５４への信号ケーブル５５の着脱を可能にするために、ケーシング５２のケーブル接続用孔６１が保持部６０の外形よりも大径に形成されている。このため、温度計５１に水滴が付着した場合には、ケーブル接続用孔６１を形成するケーシング５２の縁部と保持部６０との隙間から図９に示す矢印Ｂ１，Ｂ２の経路で、その水滴がケーシング５２の内部に侵入することがある。かかる場合には、バナナプラグ５６とバナナジャック５７との接触部位に水滴が付着してしまう結果、温度測定の確度が低下するという問題点がある。
【０００６】
また、この際に大量の水滴がケーシング５２内に侵入したときには、その水滴が回路基板５３上の電子部品に付着することにより、温度計５１が故障してしまうことがある。この場合、両バナナジャック５７におけるケーシング５２側の表面とケーシング５２の裏面とを密着させて、ケーシング５２内への水滴の侵入を防止することも考えられる。しかし、かかる場合であっても、ケーブル接続用孔６１を形成するケーシング５２の縁部と保持部６０との隙間を介して水滴が僅かに侵入し、その侵入した水滴が、図９の矢印Ｃ１，Ｃ２で示すように、プラグ嵌合用穴５８を介して、ケーシング５２の内部に侵入する。この結果、回路基板５３上の電子部品に水滴が付着して温度計５１が故障するおそれがある。このように、従来の温度計５１には、ケーシング５２内に水滴が侵入することに起因して温度計５１が故障するおそれがあるという問題点がある。
【０００７】
本発明は、かかる問題点に鑑みてなされたものであり、本体側接触子やケーブル側接触子に水滴が付着することに起因する測定確度の低下を防止すると共に、測定装置本体内への水滴の侵入に起因する故障を防止可能な測定装置を提供することを主目的とする。
【０００８】
【課題を解決するための手段】
上記目的を達成すべく請求項１記載の測定装置は、本体側接触子が配設された測定装置本体と、本体側接触子に嵌合可能なケーブル側接触子を有するケーブル側コネクタが配設された測定装置用ケーブルとを備え、測定装置本体にケーブル側コネクタを挿入するためのコネクタ挿入用穴が形成されると共にコネクタ挿入用穴の底部に本体側接触子が配設されている測定装置において、両接触子のいずれか一方の周囲に形成された筒状のガイド部材と、両接触子のいずれか他方を保持すると共にガイド部材にはめ込まれる柱状の保持部とを備え、両接触子の嵌合時に、コネクタ挿入用穴に挿入されたケーブル側コネクタの外筐とコネクタ挿入用穴の内壁とが互いに密着してコネクタ挿入用穴への水滴の侵入を防止する第１の防滴構造、およびガイド部材にはめ込まれた保持部の外周面とガイド部材の内周面とが互いに密着して両接触子に対する水滴の付着を防止する第２の防滴構造が構成されることを特徴とする。
【０００９】
この測定装置では、本体側接触子およびケーブル側接触子を互いに嵌合させたときに、コネクタ挿入用穴に挿入されたケーブル側コネクタの外筐とコネクタ挿入用穴の内壁とが互いに密着する第１の防滴構造、およびガイド部材にはめ込まれた保持部の外周面とガイド部材の内周面とが互いに密着する第２の防滴構造が構成されて、二重の防滴構造となる。このため、ケーブル側コネクタの外筐が測定装置本体におけるコネクタ挿入口を形成する内壁に面的接触してコネクタ挿入口を閉塞する第１の防滴構造により、測定装置本体への外部からの水滴の侵入が阻止される。また、コネクタ挿入口を形成する内壁とケーブル側コネクタとの隙間から水滴が僅かに侵入したときであっても、ガイド部材の内周面と接触子を保持する保持部の外周面とが互いに面的接触する第２の防滴構造により、ガイド部材の筒内空間が閉塞されるため、第２の防滴構造が、侵入した水滴の筒内空間への水滴の侵入を阻止する。したがって、筒内空間内に位置する両接触子への水滴の付着が防止される。
【００１２】
請求項２記載の測定装置は、請求項１記載の測定装置において、ガイド部材は、その内径が基部から先端部に向けて徐々に大径となるように形成され、保持部は、その外径がガイド部材に嵌合可能に基部から先端部に向けて徐々に小径となるように形成されていることを特徴とする。
【００１３】
例えば、保持部の外径を一定の径に形成すると共に、ガイド部材の内径を保持部の外径と同径に形成し、保持部の外周面とガイド部材の内周面とを面的に接触させることにより、水滴の侵入を防止することも可能である。しかし、この場合には、保持部をガイド部材に挿入し始めてから両接触子が完全に嵌合するまでに、常に大きな押圧力を必要とする。一方、この測定装置では、保持部のガイド部材への挿入し始め時には、ガイド部材の内周壁と保持部の外周面との間に僅かな隙間が生じているため、保持部をガイド部材に容易に挿入でき、しかも、両接触子の嵌合状態時には、ガイド部材の内周面と保持部の外周面とが完全に密着する。したがって、僅かな押圧力で測定装置用ケーブルを測定装置本体に接続することが可能になると共に、ガイド部材の筒内空間への水滴の侵入を確実に阻止する。
【００１４】
請求項３記載の測定装置は、請求項１または２記載の測定装置において、コネクタ挿入用穴の内壁およびケーブル側コネクタの外筐のいずれか一方が弾性素材で形成されていることを特徴とする。
【００１５】
この測定装置では、コネクタ挿入用穴へのケーブル側コネクタの挿入時に、例えば、ケーブル側コネクタの外筐が弾性変形してコネクタ挿入用穴の内壁に密着する。したがって、コネクタ挿入用穴の内部空間が確実に閉塞される結果、水滴の侵入をより確実に防止することが可能になる。
【００１６】
請求項４記載の測定装置は、請求項１から３のいずれかに記載の測定装置において、ガイド部材および保持部のいずれか一方が弾性素材で形成されていることを特徴とする。
【００１７】
この測定装置では、例えば、保持部が弾性変形してガイド部材の内周面に密着する。したがって、ガイド部材の筒内空間が確実に閉塞される結果、水滴の侵入をさらに確実に防止することが可能になる。
【００１８】
請求項５記載の測定装置は、請求項１から４のいずれかに記載の測定装置において、本体側接触子は、有底筒状の雌型接触子で構成されると共にコネクタ挿入用穴の底部に埋設されていることを特徴とする。
【００１９】
コネクタ挿入用穴を形成する内壁とケーブル側コネクタとが面的に接触し、かつ保持部の外周面とガイド部材の内周面とが面的接触することにより、測定装置本体内への水滴の侵入が阻止される。しかし、この場合にも、本体側接触子として雌形接触子が配設されている場合には、ケーブル側接触子としての雄型接触子を嵌入する嵌入用孔を介して湿気や微細な粉塵などが測定装置本体の内部に侵入するおそれもある。この測定装置では、本体側接触子としての雌形接触子における嵌入用穴が有底筒状に形成され、かつ雌形接触子がコネクタ挿入用穴の底部に埋設されている。このため、嵌入用穴を介しての測定装置本体内部への湿気や粉塵などの侵入が阻止される。したがって、湿気や粉塵の侵入に起因する測定装置の故障や誤動作を防止することが可能になる。
【００２０】
【発明の実施の形態】
以下、添付図面を参照して、本発明に係る測定装置を温度計に適用した実施の形態について説明する。なお、従来の温度計５１と同一の構成要素については、同一の符号を付して重複した説明を省略する。
【００２１】
最初に、温度計１の構成について図１，２を参照して説明する。
【００２２】
温度計１は、図１に示すように、信号ケーブル２および温度計本体３を備えて構成されている。この場合、信号ケーブル２は、本発明における測定装置用ケーブルに相当し、図２に示すように、その一端には、本発明におけるケーブル側コネクタに相当するコネクタ４が取り付けられ、他端には、図示しない温度センサが取り付けられている。コネクタ４は、ケーブルＷ，Ｗと、ケーブルＷ，Ｗの各々の端部にそれぞれ半田付けされたバナナプラグ５，５とをインサート成形によって一体化して形成されている。この場合、バナナプラグ５は、本発明におけるケーブル側接触子に相当する。また、コネクタ４には、弾性力および耐候性に優れた弾性素材である軟質ＰＶＣ（Polyvinyl Chloride＝ポリ塩化ビニル）が用いられている。さらに、コネクタ４には、図１に示すように、バナナプラグ５側の縁部にその外周に沿って柱状の防滴用壁部６が立設され、その防滴用壁部６には、逆向き挿入防止用溝７が形成されている。また、コネクタ４には、両バナナプラグ５，５を突出させた状態で保持する保持部８，８が形成されており、保持部８は、図２に示すように、その基部側から先端部側に向けて徐々に小径となるようにテーパ状に形成されている。
【００２３】
一方、温度計本体３は、本発明における測定装置本体に相当し、図１に示すように、ケーシング１１、回路基板１２およびバナナジャック１３，１３を備えている。ケーシング１１は、回路基板１２などを収納するために箱状に形成されており、ＡＢＳ樹脂によるインサート成形時に内部に埋設されたバナナジャック１３，１３と共に一体的に構成されている。このケーシング１１では、同図に示すように、両バナナジャック１３，１３が埋設された側の側面に、信号ケーブル２のコネクタ４を挿入するためのコネクタ挿入用穴１４が形成されている。コネクタ挿入用穴１４は、信号ケーブル２の防滴用壁部６よりも僅かに小さく、かつ防滴用壁部６と相補的な形状に形成されると共に、その縁部には、コネクタ４の逆向き挿入防止用溝７と相俟ってコネクタ４の逆向き挿入を防止するための逆向き挿入防止用爪１５が形成されている。また、コネクタ挿入用穴１４の底部には、本発明におけるガイド部材に相当する柱状のガイド部１６，１６が立設され、このガイド部１６，１６には、信号ケーブル２の両保持部８，８がはめ込まれる。この場合、ガイド部１６は、図２に示すように、テーパ状の保持部８を嵌合可能に、その内径がコネクタ挿入用穴１４の底部側から先端部に向けて徐々に大径となるように形成されており、その先端部側の内径は、コネクタ４の保持部８の基部側の外径よりも僅かに小径に形成されている。
【００２４】
回路基板１２には、温度測定を行うための測定回路を構成する複数の電子部品や測定信号入出力用パターンなど（図示せず）が配設されており、固定用ボルト１９，１９によってケーシング１１に固定するためのボルト挿通用穴２０，２０が形成されている。一方、バナナジャック１３は、本発明における本体側接触子としての雌形接触子に相当し、図２に示すように、バナナプラグ５を挿入可能な有底円筒状のプラグ嵌合用穴１７，１７が正面側に形成されると共に、その上面に、ボルト穴１８，１８が形成されている。この場合、回路基板１２を挟み込むようにして、ボルト穴１８，１８に挿入した固定用ボルト１９をボルト穴１８に締め付けることによって、回路基板１２がケーシング１１に固定され、かつ回路基板１２に形成された測定信号入出力用パターンと両バナナジャック１３，１３とが電気的に接続される。
【００２５】
次に、温度計１を用いた温度測定について図２，３を参照して説明する。
【００２６】
温度計１を用いた測定対象体についての温度測定に際しては、まず、コネクタ４を図２に示す矢印Ａの向きでコネクタ挿入用穴１４に挿入する。この場合、コネクタ４の防滴用壁部６が弾性変形させられつつコネクタ挿入用穴１４に挿入されると共に、両保持部８，８が弾性変形させられつつ両ガイド部１６，１６に挿入させられる。したがって、挿入後の状態では、防滴用壁部６の弾性力によって、防滴用壁部６の外周面と、コネクタ挿入用穴１４を形成するケーシング１１の内壁とが互いに密着させられると共に、保持部８の弾性力によって、保持部８の外周面と、ガイド部１６の内周面とが密着させられる。これにより、図３に示すように、両バナナプラグ５，５と両バナナジャック１３，１３とが互いに嵌合されることにより、信号ケーブル２が温度計本体３に接続される。
【００２７】
一方、この温度計１に水滴が付着した場合、コネクタ挿入用穴１４を形成するケーシング１１の内壁と防滴用壁部６の外周面とが密着しているため、ケーシング１１の外側からのコネクタ挿入用穴１４への水滴の侵入が防止される。また、仮にコネクタ挿入用穴１４内に微量の水滴が侵入した場合には、ガイド部１６の筒内空間が保持部８によって閉塞されているため、その筒内空間の底部に位置するバナナプラグ５およびバナナジャック１３に対する水滴の付着が防止される。この結果、バナナプラグ５およびバナナジャック１３への水滴の付着に起因する測定確度の低下を防止することができる。
【００２８】
測定時には、信号ケーブル２の他端側の温度センサを例えば測定対象体に接触させる。この後、所定の操作によって温度測定を開始すると、信号ケーブル２を介して入力された測定対象体についてのセンサ信号に基づいて温度計本体３内の測定回路によって測定対象体の温度が測定される。
【００２９】
このように、この温度計１では、防滴用壁部６の外周面、およびコネクタ挿入用穴１４を形成するケーシング１１の内壁の互いの密着による第１の防滴構造と、保持部８の外周面、およびガイド部１６の内周面の互いの密着による第２の防滴構造とが採用されている。このため、水滴や湿気および粉塵などのバナナプラグ５およびバナナジャック１３への付着を防止することができる。さらに、コネクタ４がコネクタ挿入用穴１４に挿入されていない状態であっても、プラグ嵌合用穴１７が有底に形成され、かつ両バナナジャック１３，１３がケーシング１１に埋設されているため、従来の温度計５１とは異なり、ケーシング１１内部への湿気や粉塵の侵入を阻止することができる。この結果、水滴、湿気および粉塵などの侵入に起因しての温度計本体３の故障を確実に防止することができる。
【００３０】
さらに、この温度計１では、バナナプラグ５およびケーブルＷの接続部位が軟質ＰＶＣによって覆われているため、従来の温度計５１とは異なり、ケーブルＷを伝わってのバナナプラグ５への水滴の侵入も防止することができる。
【００３１】
なお、本発明は、上記した本発明の実施の形態に示した構成に限定されない。例えば、本発明の実施の形態では、防滴用壁部６をコネクタ４側に配設しているが、図４，６に示す温度計２１，４１のように、温度計本体２３，４３の各々のコネクタ挿入用穴２６，４４の縁部に沿って防滴用壁部２４を形成してもよい。この場合、信号ケーブル２７，４５の各々のコネクタ２８，４６の外周面と防滴用壁部２４の内壁とが面的接触することにより、外部からの水滴の侵入が防止される。また、本発明の実施の形態では、本発明におけるガイド部材を温度計本体３のコネクタ挿入用穴１４内に配設しているが、図４，５に示す温度計２１，３１のように、ガイド部２９を信号ケーブル２７，３５のコネクタ２８，３６側に配設してもよい。この場合、温度計本体２３，３３に配設されたバナナジャック１３ａ，１３ａを保持するための保持部２５，２５がガイド部２９，２９にそれぞれ挿入される。なお、上記した温度計２１，３１，４１における温度計１と同一の構成要素については、図４〜６において同一の符号を付し、重複した説明を省略する。
【００３２】
さらに、本発明の実施の形態では、コネクタ４を弾性素材である軟質ＰＶＣで形成した例について説明したが、本発明はこれに限定されず、温度計本体３のケーシング１１におけるコネクタ挿入用穴１４を形成する内壁および両ガイド部１６，１６を弾性素材で形成し、かつコネクタ４を硬質素材で形成することもできる。この場合には、信号ケーブル２の温度計本体３への挿入時に、コネクタ挿入用穴１４を形成する内壁が弾性変形してコネクタ４の外周面に密着すると共に、両ガイド部１６，１６が弾性変形して両保持部８，８の外周面に密着する。また、ケーシング１１のコネクタ挿入用穴１４を形成するケーシング１１の内壁およびコネクタ４の両者を弾性素材でそれぞれ形成してもよい。さらに、弾性素材は、軟質ＰＶＣに限らず、種々のエラストマを採用することができる。
【００３３】
また、本発明の実施の形態では、本発明における本体側接触子として雌形接触子のバナナジャックを採用し、かつ本発明におけるケーブル側接触子として雄型接触子のバナナプラグを採用した例について説明したが、本発明はこれに限定されず、本体側接触子として雄型接触子のバナナプラグを採用し、ケーブル側接触子として雌型接触子のバナナジャックを採用することもできる。さらに、本発明における両接触子は、バナナプラグおよびバナナジャックに限定されず、例えば、ピンチッププラグおよびピンチップジャックなどの種々の接触子を採用することもできる。また、本発明の実施の形態では、両バナナプラグ５，５をコネクタ４内に一体的に埋設した例について説明したが、例えば、両バナナプラグ５，５を別個独立してコネクタ挿入用穴１４，１４にそれぞれ挿入可能に構成することもできる。さらに、３つ以上のバナナプラグ５およびバナナジャック１３を同時に接続できるように、各バナナプラグ５，５・・をコネクタ４内に埋設することもできる。
【００３４】
さらに、本発明の実施の形態では、温度計を例に挙げて説明したが、本発明は、これに限らず、電圧計、電流計、電力計、マルチメータおよび各種の記録装置などの測定装置に適用することができる。また、センサ信号の受け渡しだけでなく、各種の計測信号用ケーブル、および商用電源や直流電源の供給用ケーブルなど、測定装置本体との間の接続構造にも適用することができるのは勿論である。
【００３５】
【発明の効果】
以上のように、請求項１記載の測定装置によれば、本体側接触子およびケーブル側接触子を互いに嵌合させたときに、コネクタ挿入用穴に挿入されたケーブル側コネクタの外筐とコネクタ挿入用穴の内壁とが互いに密着してコネクタ挿入用穴への水滴の侵入を防止する第１の防滴構造、およびガイド部材にはめ込まれた保持部の外周面とガイド部材の内周面とが互いに密着して両接触子に対する水滴の付着を防止する第２の防滴構造が構成されて、二重の防滴構造が実現されるため、両接触子に対する水滴の付着をより確実に防止することができ、これにより、両接触子への水滴の付着に起因する測定確度の低下や、測定装置本体内への水滴の侵入に起因する測定装置の故障を未然に防止することができる。
【００３７】
さらに、請求項２記載の測定装置によれば、ガイド部材の内径を基部から先端部に向けて徐々に大径となるように形成し、かつ保持部の外径をガイド部材に嵌合可能に基部から先端部に向けて徐々に小径となるように形成したことにより、保持部をガイド部材に容易に挿入することができる。加えて、ガイド部材の内周面と保持部の外周面とを完全に密着させることができるため、ガイド部材の筒内空間への水滴の侵入を確実に阻止することができる。
【００３８】
また、請求項３記載の測定装置によれば、コネクタ挿入用穴を形成する内壁およびケーブル側コネクタの外筐のいずれか一方を弾性素材で形成したことにより、コネクタ挿入用穴の内部空間をより確実に閉塞することができ、これにより、水滴の侵入をより確実に防止することができる。
【００３９】
また、請求項４記載の測定装置によれば、ガイド部材および保持部のいずれか一方を弾性素材で形成したことにより、ガイド部材の筒内空間を確実に閉塞することができ、これにより、水滴の侵入をさらに確実に防止することができる。
【００４０】
さらに請求項５記載の測定装置によれば、有底筒状の雌型接触子で本体側接触子を構成すると共にコネクタ挿入用穴の底部に埋設したことにより、雄型接触子嵌入用穴を介しての測定装置本体内部への湿気や粉塵などの侵入を阻止することができ、これにより、湿気や粉塵の侵入に起因する測定装置の故障や誤動作を未然に防止することができる。
【図面の簡単な説明】
【図１】本発明の実施の形態に係る温度計１の分解斜視図である。
【図２】本発明の実施の形態に係る温度計１における信号ケーブル２のコネクタ４および温度計本体３の断面図である。
【図３】本発明の実施の形態に係る温度計１における信号ケーブル２のコネクタ４を温度計本体３のコネクタ挿入用穴１４に挿入した状態の断面図である。
【図４】本発明の他の実施の形態に係る温度計２１の断面図である。
【図５】本発明の他の実施の形態に係る温度計３１の断面図である。
【図６】本発明の他の実施の形態に係る温度計４１の断面図である。
【図７】従来の温度計５１の分解斜視図である。
【図８】従来の温度計５１における信号ケーブル５５の保持部６０および温度計本体５４の断面図である。
【図９】従来の温度計５１における信号ケーブル５５のバナナプラグ５６を温度計本体５４のプラグ嵌合用孔に挿入した状態の断面図である。
【符号の説明】
１  温度計
２  信号ケーブル
３  温度計本体
４  コネクタ
５  バナナプラグ
６  防滴用壁部
８  保持部
１１  ケーシング
１３  バナナジャック
１３ａ  バナナジャック
１４  コネクタ挿入用穴
１６  ガイド部
１７  プラグ嵌合用穴
２１  温度計
２３  温度計本体
２４  防滴用壁部
２５  保持部
２６  コネクタ挿入用穴
２７  信号ケーブル
２８  コネクタ
２９  ガイド部
３１  温度計
３３  温度計本体
３５  信号ケーブル
３６  コネクタ
４１  温度計
４３  温度計本体
４５  信号ケーブル
４６  コネクタ
Ｗ  ケーブル
【図１】
0004372868.tif 000002
【図２】
0004372868.tif 000003
【図３】
0004372868.tif 000004
【図４】
0004372868.tif 000005
【図５】
0004372868.tif 000006
【図６】
0004372868.tif 000007
【図７】
0004372868.tif 000008
【図８】
0004372868.tif 000009
【図９】
0004372868.tif 000010